(57)【要約】【課題】  検査対象の回路基板が微細ピッチの電極を有するものであっても信頼性の高い電気検査を行うことができ、回路基板を連続的に検査する際にも検査作業を円滑に行うことができる回路基板の検査装置を提供する。【解決手段】  回路基板側コネクタ２１と、導電ピン３２と、導電ピン３２を支持する第1の絶縁板３４と第2の絶縁板３５とを備えた中継ピンユニット３１と、テスター側コネクタ４１とを備え、ピッチ変換用基板２３において、被検査回路基板１の各被検査用電極２，３に対してそれぞれ、一対の電流用端子電極２７と電圧用端子電極２８からなる接続電極が電気的に接続するように配置され、コネクタ基板４３において、ピッチ変換用基板２３の電流用端子電極２７と電圧用端子電極２８とにそれぞれ電気的に接続するように、電流用ピン側電極４７と電圧用ピン側電極４８が配置されている。【選択図】  図８
2005321280.tif 000002
【特許請求の範囲】
【請求項１】
一対の第１の検査治具と第2の検査治具によって、両検査治具の間で検査対象である被
検査回路基板の両面を挟圧して電気検査を行う回路基板の検査装置であって、
前記第１の検査治具と第2の検査治具がそれぞれ、
基板の一面側と他面側との間で電極ピッチを変換するピッチ変換用基板と、
前記ピッチ変換用基板の被検査回路基板側に配置される第１の異方導電性シートと、
前記ピッチ変換用基板の被検査回路基板とは逆側に配置される第２の異方導電性シートと、
を備えた回路基板側コネクタと、
所定のピッチで配置された複数の導電ピンと、
前記導電ピンを軸方向に移動可能に支持する、一対の離間した絶縁板と、
を備えた中継ピンユニットと、
テスターと前記中継ピンユニットとを電気的に接続するコネクタ基板と、
前記コネクタ基板の中継ピンユニット側に配置される第３の異方導電性シートと、
前記コネクタ基板の中継ピンユニットとは逆側に配置されるベース板と、
を備えたテスター側コネクタとを備え、
前記ピッチ変換用基板において、前記被検査回路基板の各被検査用電極に対してそれぞれ、一対の電流用端子電極と電圧用端子電極からなる接続電極が電気的に接続するように配置され、
前記コネクタ基板において、前記ピッチ変換用基板の電流用端子電極と電圧用端子電極とにそれぞれ電気的に接続するように、電流用ピン側電極と電圧用ピン側電極が配置されていることを特徴とする回路基板の検査装置。
【請求項２】
前記第１の異方導電性シートが、導電性粒子が厚み方向に配列するとともに面方向に均一に分散された異方導電性シートであることを特徴とする請求項１に記載の回路基板の検査装置。
【請求項３】
前記第２の異方導電性シートが、厚み方向に延びる複数の導電路形成部と、これらの導電路形成部を互いに絶縁する絶縁部とからなり、導電性粒子が導電路形成部中にのみ含有され、これにより該導電性粒子は面方向に不均一に分散されるとともに、シート片面側に導電路形成部が突出していることを特徴とする請求項１から２のいずれかに記載の回路基板の検査装置。
【請求項４】
前記第３の異方導電性シートが、厚み方向に延びる複数の導電路形成部と、これらの導電路形成部を互いに絶縁する絶縁部とからなり、導電性粒子が導電路形成部中にのみ含有され、これにより該導電性粒子は面方向に不均一に分散されるとともに、シート片面側に導電路形成部が突出していることを特徴とする請求項１から３のいずれかに記載の回路基板の検査装置。
【請求項５】
請求項１から４に記載の回路基板の検査装置を用いた回路基板の検査方法であって、
一対の第１の検査治具と第2の検査治具によって、両検査治具の間で検査対象である被
検査回路基板の両面を挟圧して電気検査を行うことを特徴とする回路基板の検査方法。
【発明の詳細な説明】
【技術分野】
【０００１】
本発明は、電気検査を行う検査対象である回路基板（以下、「被検査回路基板」と言う。）を、上側検査治具と下側検査治具で両面から挟圧することにより、被検査回路基板の両面に形成された電極をテスターに電気的に接続された状態として、被検査回路基板の電気的特性を検査する回路基板の検査装置および回路基板の検査方法に関する。
【背景技術】
【０００２】
集積回路などを実装するためのプリント回路基板は、集積回路などを実装する前に、回路基板の配線パターンが所定の性能を有することを確認するために電気的特性が検査される。
【０００３】
この電気検査では、例えば、回路基板の搬送機構を備えた検査用テスターに検査ヘッドを組み込み、検査ヘッド部分を交換することにより異なる回路基板の検査を行っている。
例えば、特許文献１（特開平６−９４７６８号公報）に開示されているように、被検査回路基板の被検査電極に接して電気的に導通する金属の検査ピンを基板に植設した構造の検査治具を用いる方法が提案されている。
【０００４】
また、特許文献２（特開平５−１５９８２１号公報）に開示されているように、導電ピンを有する検査ヘッドと、オフグリットアダプターと呼ばれるピッチ変換用の回路基板と、異方導電性シートとを組み合わせた検査治具を用いる方法が知られている。
【０００５】
しかしながら、特許文献１（特開平６−９４７６８号公報）のように、金属検査ピンを直接に被検査回路基板の被検査電極に接触させる検査治具を用いる方法では、金属からなる導電ピンとの接触により被検査回路基板の電極が損傷する可能性がある。
【０００６】
特に、近年では。回路基板における回路の微細化、高密度化が進み、このようなプリント回路基板を検査する場合、多数の導電ピンを被検査回路基板の被検査電極に同時に導通接触させるためには、高い圧力で検査治具を加圧することが必要となり、被検査電極が損傷し易くなる。
【０００７】
そして、このような微細化、高密度化されたプリント回路基板を検査するための検査治具では、高密度で多数の金属ピンを基板に植設することが技術的に困難になりつつある。また、その製造コストも高価となり、さらに、一部の金属ピンが損傷した場合に、修理、交換することが困難である。
【０００８】
一方、特許文献２（特開平５−１５９８２１号公報）のように、異方導電性シートを使用する検査治具では、被検査回路基板の被検査電極が、異方導電性シートを介してピッチ変換用基板の電極と接触することになるため、被検査回路基板の被検査電極が損傷しにくいという利点がある。また、ピッチ変換を行う基板を使用しているため、基板に植設する検査ピンを、被検査回路基板の被検査電極のピッチよりも広いピッチで植設することができるため、微細ピッチで検査ピンを植設する必要がなく、検査治具の製造コストを節約できるという利点もある。
【０００９】
しかしながら、この検査治具では、検査対象である被検査回路基板ごとに、ピッチ変換用基板と、検査ピンを植設する検査治具とを作成する必要があるため、検査される被検査回路基板であるプリント回路基板と同数の検査治具が必要となる。
【００１０】
このため、複数のプリント回路基板を生産している場合では、それに対応して複数の検査治具を保有しなければならないという問題がある。特に、近年では電子機器の製品サイクルが短縮し、製品に使用されるプリント回路基板の生産期間の短縮化が進んでいるが、これに伴って検査治具を長期間使用することができなくなり、プリント回路基板の生産が切り替わる度に検査治具を生産しなければならないという問題が生じている。
【００１１】
このような問題への対策として、例えば、特許文献３〜５（特開平７−２４８３５０号公報、特開平８−２７１５６９号公報、特開平８−３３８８５８号公報）のような、中継ピンユニットを用いる、いわゆるユニバーサルタイプの検査治具を用いた検査装置が提案されている。
【００１２】
図１０は、このようなユニバーサルタイプの検査治具を用いた検査装置の断面図である。
この検査装置は、上側検査治具１１１ａと下側検査治具１１１ｂとを備え、これらの検査治具は、回路基板側コネクタ１２１ａ、１２１ｂと、中継ピンユニット１３１ａ、１３１ｂと、テスター側コネクタ１４１ａ、１４１ｂとを備えている。
【００１３】
回路基板側コネクタ１２１ａ、１２１ｂは、ピッチ変換用基板１２３ａ、１２３ｂと、その両面側に配置される異方導電性シート１２２ａ、１２２ｂ、１２６ａ、１２６ｂとを有している。
【００１４】
中継ピンユニット１３１ａ、１３１ｂは、一定ピッチ（例えば２．５４ｍｍピッチ）で格子点上に多数（例えば５０００ピン）配置された導電ピン１３２ａ、１３２ｂと、この導電ピン１３２ａ、１３２ｂを上下へ移動可能に支持する絶縁板１３４ａ、１３４ｂとを有している。
【００１５】
テスター側コネクタ１４１ａ、１４１ｂは、被検査回路基板１０１を検査治具１１１ａ、１１１ｂで挟圧した際に、テスターと導電ピン１３２ａ、１３２ｂとを電気的に接続するコネクタ基板１４３ａ、１４３ｂと、コネクタ基板１４３ａ、１４３ｂの導電ピン１３２ａ、１３２ｂ側に配置される異方導電性シート１４２ａ、１４２ｂと、ベース板１４６ａ、１４６ｂとを有している。
【００１６】
この中継ピンユニットを使用した検査治具は、異なる被検査対象であるプリント回路基板を検査する際に、回路基板側コネクタ１２１ａ、１２１ｂを被検査回路基板１０１に対応するものに交換するだけでよく、中継ピンユニット１３１ａ、１３１ｂとテスター側コネクタ１４１ａ、１４１ｂは共通で使用できる。
【００１７】
しかしながら、従来のこのようなユニバーサルタイプの検査治具では、回路基板側コネクタ１２１ａ、１２１ｂを構成する異方導電性シート１２２ａ、１２２ｂとして、厚み方向に延びる複数の導電路形成部と、これらの導電路形成部を互いに絶縁する絶縁部とからなり、導電性粒子が導電路形成部中にのみ含有されて面方向に不均一に分散され、シート片面側に導電路形成部が突出した、偏在型の異方導電性シート１２２ａ、１２２ｂを使用している。
【００１８】
このため、この異方導電性シート１２２ａ、１２２ｂは、検査での繰り返し使用により導電路形成部が劣化（抵抗値が上昇）し、使用寿命が短いため頻繁に異方導電性シート１２２ａ、１２２ｂを交換する場合、交換の度に異方導電性シート１２２ａ、１２２ｂとピッチ変換用基板１２３ａ、１２３ｂとの位置合わせ、および回路基板側コネクタ１２１ａ、１２１ｂと中継ピンユニット１３１ａ、１３１ｂとの位置合わせが必要であり、交換作業が繁雑で検査効率が低下してしまうことになる。
【００１９】
また、被検査回路基板１０１の電極が、例えば、２００μｍ以下のような微小ピッチになると、上記のような偏在型の異方導電性シート１２２ａ、１２２ｂを用いる場合には、異方導電性シート１２２ａ、１２２ｂとピッチ変換用基板１２３ａ、１２３ｂとの位置合わせが困難となり、さらに、複数の被検査回路基板１０１について検査を連続して行った場合、被検査回路基板１０１と繰り返し接触することにより異方導電性シート１２２ａ、１２２ｂの位置ずれが生じ易くなる。
【００２０】
これによって、異方導電性シート１２２ａ、１２２ｂの導電路形成部と被検査回路基板１０１の電極位置とが一致しなくなり、良好な電気的接続が得られなくなるため、過大な抵抗値が測定され、本来は良品と判断されるべきプリント回路基板が不良品と誤判断され易くなる。
【００２１】
一方、例えば、特許文献６（特開平６−８２５３１号公報）に記載されたような、異方導電性シートとピッチ変換用基板とが一体化したコネクタを使用した場合には、位置合わせは容易であるが、異方導電性シート部分が劣化した際にピッチ変換用基板ごと交換しなければならず、多数のピッチ変換用基板が必要となり検査コストが増大する。
【００２２】
このため、本出願人は、特許文献７（特願２００４−０５８２８２号）において、既に、図１１に示したように、異方導電性シート１２２ａ、１２２ｂとして、偏在型の異方導電性シートを用いる代わりに、絶縁性を有する絶縁部導電性粒子が厚み方向に配列するとともに面方向に均一に分散された分散型異方導電性シートを用いたユニバーサルタイプの検査治具を提案した。
【００２３】
ところで、上記のユニバーサルタイプの検査治具を用いた検査装置では、図１２に示したように、ピッチ変換用基板１２３ａ、１２３ｂにおいて、被検査回路基板１０１の各被検査用電極１０２、１０３に対してそれぞれ、１個のピッチ変換用基板１２３ａ、１２３ｂの被検査回路基板１０１側の端子電極１２５ａ、１２５ｂが電気的に接続するように配置されている。
【００２４】
これにより、コネクタ基板１４３ａ、１４３ｂのピン側電極１４５ａ、１４５ｂ、異方導電性シート１４２ａ、１４２ｂ、中継ピンユニット１３１ａ、１３１ｂの導電ピン１３２ａ、１３２ｂ、異方導電性シート１２６ａ、１２６ｂ、ピッチ変換用基板１２３ａ、１２３ｂの中継ピンユニット側の端子電極１２４ａ、１２４ｂ、ピッチ変換用基板１２３ａ、１２３ｂの被検査回路基板１０１側の端子電極１２５ａ、１２５ｂ、異方導電性シート１２２ａ、１２２ｂから、被検査回路基板１０１の被検査用電極１０２、１０３に至る導電路が形成されるようになっている。
【００２５】
そして、図１２に示したように、コネクタ基板１４３ａ、１４３ｂの上下一対のピン側電極１４５ａ、１４５ｂから被検査回路基板１０１の各被検査用電極１０２、１０３に対して、電圧を印加することによって、同じ上下一対のピン側電極１４５ａ、１４５ｂを介して、テスターによって、電圧と電流を測定することによって、被検査回路基板１０１の配線パターンが所定の性能を有するか否かについての電気的特性が確認されるようになっている。
【００２６】
しかしながら、このように上下一対の上下一対のピン側電極１４５ａ、１４５ｂを用いて、被検査回路基板１０１の各被検査用電極１０２、１０３に対して、電圧を印加して、同じ上下一対のピン側電極１４５ａ、１４５ｂ、同じ上下一対のピン側電極１４５ａ、１４５ｂを介して、電圧と電流の両方を測定する方法では、被検査回路基板１０１の配線パターンが所定の性能を有するか否かについての電気的特性の正確な確認試験を行うことが
できず、また、確認試験に要する時間もかかることになる。
【特許文献１】特開平６−９４７６８号公報
【特許文献２】特開平５−１５９８２１号公報
【特許文献３】特開平７−２４８３５０号公報
【特許文献４】特開平８−２７１５６９号公報
【特許文献５】特開平８−３３８８５８号公報
【特許文献６】特開平６−８２５３１号公報
【特許文献７】特願２００４−０５８２８２号
【発明の開示】
【発明が解決しようとする課題】
【００２７】
本発明は、このような現状に鑑み、被検査回路基板の配線パターンが所定の性能を有するか否かについての電気的特性について正確な確認試験を行うことができ、しかも、確認試験に要する時間も短時間で実施することが可能な回路基板の検査装置を提供することを目的とする。
【００２８】
また、本発明は、検査対象である被検査回路基板が、微細ピッチの微小電極を有するものであっても、信頼性の高い回路基板の電気的検査を行うことができる回路基板の検査装置を提供することを目的とする。
にある。
【００２９】
また、本発明は、検査対象である被検査回路基板について、繰り返し連続検査を行う際に、異方導電性シートの位置ずれを補正する必要が少なく、検査の作業性が良好な回路基板の検査装置を提供することを目的とする。
【００３０】
さらに、本発明は、検査対象である被検査回路基板の繰り返し連続検査において、異方導電性シートが劣化した際に、異方導電性シートの交換作業が容易な回路基板の検査装置を提供することを目的とする。
【００３１】
また、本発明は、検査対象である被検査回路基板が変更されても、検査装置全体（検査治具全体）を別途作製することなく、検査用回路基板を変更するだけで、あらゆる被検査回路基板に対して、検査の対応が可能な回路基板の検査装置を提供することを目的とする。
【００３２】
さらに、本発明は、検査対象である被検査回路基板が、微細ピッチの微小電極を有するものであっても、被検査回路基板の電気的検査を、信頼性が高く実施することができる回路基板の検査装置を用いた検査方法を提供することを目的とする。
【課題を解決するための手段】
【００３３】
本発明は、前述したような従来技術における課題及び目的を達成するために発明されたものであって、本発明の回路基板の検査装置は、
一対の第１の検査治具と第2の検査治具によって、両検査治具の間で検査対象である被
検査回路基板の両面を挟圧して電気検査を行う回路基板の検査装置であって、
前記第１の検査治具と第2の検査治具がそれぞれ、
基板の一面側と他面側との間で電極ピッチを変換するピッチ変換用基板と、
前記ピッチ変換用基板の被検査回路基板側に配置される第１の異方導電性シートと、
前記ピッチ変換用基板の被検査回路基板とは逆側に配置される第２の異方導電性シートと、
を備えた回路基板側コネクタと、
所定のピッチで配置された複数の導電ピンと、
前記導電ピンを軸方向に移動可能に支持する、一対の離間した絶縁板と、
を備えた中継ピンユニットと、
テスターと前記中継ピンユニットとを電気的に接続するコネクタ基板と、
前記コネクタ基板の中継ピンユニット側に配置される第３の異方導電性シートと、
前記コネクタ基板の中継ピンユニットとは逆側に配置されるベース板と、
を備えたテスター側コネクタとを備え、
前記ピッチ変換用基板において、前記被検査回路基板の各被検査用電極に対してそれぞれ、一対の電流用端子電極と電圧用端子電極からなる接続電極が電気的に接続するように配置され、
前記コネクタ基板において、前記ピッチ変換用基板の電流用端子電極と電圧用端子電極とにそれぞれ電気的に接続するように、電流用ピン側電極と電圧用ピン側電極が配置されていることを特徴とする。
【００３４】
このように構成することによって、第１の検査治具と第2の検査治具の間で検査対象で
ある被検査回路基板の両面を挟圧して電気検査を行う際に、被検査回路基板の各被検査用電極に対してそれぞれ、第１の異方導電性シートを介して、ピッチ変換用基板の接続電極の電流用端子電極と電圧用端子電極の両方が電気的に接続する。
【００３５】
そして、第２の異方導電性シート、中継ピンユニットの導電ピン、第３の異方導電性シートを介して、ピッチ変換用基板の電流用端子電極が、コネクタ基板の電流用ピン側電極に電気的に接続されるとともに、ピッチ変換用基板の電圧用端子電極が、コネクタ基板の電圧用端子電極に電気的に接続されるようになっている。
【００３６】
これにより、被検査回路基板の各被検査用電極に対してそれぞれ、上下一つのピッチ変換用基板の電流用端子電極を介して、電流供給経路が構成されることになる、一方、被検査回路基板の各被検査用電極に対してそれぞれ、上下一つのピッチ変換用基板の電圧用端子電極を介して、電圧計測経路が構成されることになる。
【００３７】
従って、被検査回路基板の各被検査用電極に対して、上下一つのピッチ変換用基板の電流用端子電極を介して、例えば、定電流供給装置を用いて、電流供給経路に一定の電流を供給しながら、上下一つのピッチ変換用基板の電圧用端子電極を介して、電圧計測経路によって、被検査回路基板の各被検査用電極からの電圧を電圧計によって測定することによって、被検査回路基板の配線パターンが所定の性能を有するか否かについての電気的特性の確認試験を行うことができる。
【００３８】
逆に、被検査回路基板の各被検査用電極に対して、上下一つのピッチ変換用基板の電圧用端子電極を介して、例えば、定電圧装置を用いて、電圧計測経路に対して一定の電圧を加えながら、上下一つのピッチ変換用基板の電流用端子電極を介して、電流供給経路によって、被検査回路基板の各被検査用電極からの電流を電流計によって測定することによって、被検査回路基板の配線パターンが所定の性能を有するか否かについての電気的特性の確認試験を行うこともできる。
【００３９】
このように、被検査回路基板の各被検査用電極に対して、別個の電圧計測経路、電流供給経路を介して、別個に電圧と電流を測定することができるので、検査回路基板の配線パターンが所定の性能を有するか否かについての電気的特性について正確な確認試験を行うことができ、しかも、確認試験に要する時間も短時間で実施することができる。
【００４０】
また、本発明の回路基板の検査装置は、
また、本発明の回路基板の検査装置は、前記第１の異方導電性シートが、導電性粒子が厚み方向に配列するとともに面方向に均一に分散された異方導電性シートであることを特
徴とする。
【００４１】
このように、第１の異方導電性シートとして導電性粒子が厚み方向に配列するとともに面方向に分散された異方導電性シートを使用しているので、シート横方向へ多少位置がずれしたとしても、被検査回路基板と第１の異方導電性シートとの良好な電気的接続が確保される。
【００４２】
また、本発明の回路基板の検査装置は、前記第２の異方導電性シートが、厚み方向に延びる複数の導電路形成部と、これらの導電路形成部を互いに絶縁する絶縁部とからなり、導電性粒子が導電路形成部中にのみ含有され、これにより該導電性粒子は面方向に不均一に分散されるとともに、シート片面側に導電路形成部が突出していることを特徴とする。
【００４３】
また、本発明の回路基板の検査装置は、前記第３の異方導電性シートが、厚み方向に延びる複数の導電路形成部と、これらの導電路形成部を互いに絶縁する絶縁部とからなり、導電性粒子が導電路形成部中にのみ含有され、これにより該導電性粒子は面方向に不均一に分散されるとともに、シート片面側に導電路形成部が突出していることを特徴とする。
【００４４】
このように、第２の異方導電性シートおよび第３の異方導電性シートとして、導電路形成部と絶縁部とからなり、導電性粒子が導電路形成部中にのみ含有されて面方向に不均一に分散され、シート片面側に導電路形成部が突出した偏在型の異方導電性シートを使用することにより、検査治具の押圧による加圧力や衝撃がこれらのシートで吸収され、これにより第１の異方導電性シートの劣化が抑制される。
【００４５】
また、本発明の回路基板の検査方法は、前述した回路基板の検査装置を用いた回路基板の検査方法であって、
一対の第１の検査治具と第2の検査治具によって、両検査治具の間で検査対象である被
検査回路基板の両面を挟圧して電気検査を行うことを特徴とする。
【００４６】
このように構成することによって、被検査回路基板の各被検査用電極に対して、別個の電圧計測経路、電流供給経路を介して、別個に電圧と電流を測定することができるので、検査回路基板の配線パターンが所定の性能を有するか否かについての電気的特性について正確な確認試験を行うことができ、しかも、確認試験に要する時間も短時間で実施することができる。
【発明の効果】
【００４７】
本発明によれば、検査対象である被検査回路基板が、微細ピッチの微小電極を有するものであっても、信頼性の高い回路基板の電気的検査を行うことが可能である。
しかも、検査対象である被検査回路基板について、繰り返し連続検査を行う際に、異方導電性シートの位置ずれを補正する必要が少なく、検査の作業性が良好である。
【００４８】
さらに、検査対象である被検査回路基板の繰り返し連続検査において、異方導電性シートが劣化した際に、異方導電性シートの交換作業が容易である。
また、検査対象である被検査回路基板が変更されても、検査装置全体を別途作製することなく、検査用回路基板を変更するだけで、あらゆる被検査回路基板に対して、検査の対応が可能である。
【００４９】
さらに、被検査回路基板の各被検査用電極に対して、別個の電圧計測経路、電流供給経路を介して、別個に電圧と電流を測定することができるので、検査回路基板の配線パターンが所定の性能を有するか否かについての電気的特性について正確な確認試験を行うことができ、しかも、確認試験に要する時間も短時間で実施することができる。
【００５０】
そして、被検査回路基板の被検査回路に対して、電流を供給しながら電圧を測定できるので、従来の検査装置における導通抵抗値の良否判断の設定電圧よりも、低い設定電圧において、被検査回路基板の被検査回路の導通抵抗値の安定した測定が可能となる。
【００５１】
すなわち、高精度な検査の要件として低い設定電圧での回路の良否判断が必要とされるが、本発明によれば、従来の検査装置よりも、潜在的な電気的な欠陥を有する被検査回路基板を高い確率で不良品として判断し除去できるので、信頼性の高い回路基板の確認試験を実施することが可能である。
【発明を実施するための最良の形態】
【００５２】
以下、本発明の実施の形態（実施例）を図面に基づいてより詳細に説明する。
図１は、本発明の検査装置の実施例を説明する断面図、図２は、図１の検査装置の検査使用時における積層状態を示した断面図、図３は、ピッチ変換用基板の被検査回路基板側の表面を示した図、図４は、ピッチ変換用基板のピンユニット側表面を示した図である。
【００５３】
この検査装置１０は、集積回路などを実装するためのプリント回路基板などの検査対象である被検査回路基板１において、被検査電極間の電気抵抗を測定することにより被検査回路基板の電気検査を行うものである。
【００５４】
そして、検査装置１０は、図１および図２に示したように、被検査回路基板１の上面側に配置される第１の検査治具１１ａと、下面側に配置される第2の検査治具１１ｂとが、
上下に互いに対向するように配置されている。
【００５５】
第１の検査治具１１ａは、その両側に異方導電性シート２２ａ、２６ａを備えた回路基板側コネクタ２１ａと、中継ピンユニット３１ａを備えている。また、第１の検査治具１１ａは、その中継ピンユニット３１ａ側に第３の異方導電性シート４２ａが配置されるコネクタ基板４３と、ベース板４６ａからなるテスター側コネクタ４１ａを備えている。
【００５６】
第2の検査治具１１ｂも、第１の検査治具１１ａと同様に構成され、その両側に異方導
電性シート２２ｂ、２６ｂを備えた回路基板側コネクタ２１ｂと、中継ピンユニット３１ｂを備えている。また、第2の検査治具１１ｂは、その中継ピンユニット３１ｂ側に異方
導電性シート４２ｂが配置されるコネクタ基板４３ｂと、ベース板４６ｂからなるテスター側コネクタ４１ｂとを備えている。
【００５７】
被検査回路基板１の上面には、被検査用の電極２が形成され、その下面にも被検査用の電極３が形成されており、これらは互いに電気的に接続されている。
回路基板側コネクタ２１ａ，２１ｂは、ピッチ変換用基板２３ａ，２３ｂと、その両側に配置される第１の異方導電性シート２２ａ，２２ｂおよび第２の異方導電性シート２６ａ，２６ｂを有している。
【００５８】
図３は、ピッチ変換用基板２３の被検査回路基板１側の表面を示した図であり、図４は、その中継ピンユニット３１側の表面を示した図である。
ピッチ変換用基板２３の一方の表面、すなわち、被検査回路基板１側には、図３に示したように、被検査回路基板１の電極２、３に電気的に接続される複数の接続電極２５が形成されている。これらの接続電極２５は、被検査回路基板１の被検査電極２，３のパターンに対応するように配置されている。
【００５９】
また、この接続電極２５は、図３および図８に示したように、被検査回路基板１の被検査用の電極２、３のうち１個の電極に対して、一対の相互に所定間隔離間した電流用端子
電極２７と電圧用端子電極２８とから構成されている。
【００６０】
この場合、電流用端子電極２７と電圧用端子電極２８の形状は、図３では、矩形状としたが、この形状は特に限定されるものではなく、円形状、三角形状など種々の形状とすくことができる。また、これらの一対の電流用端子電極２７と電圧用端子電極２８が占める領域が、被検査回路基板１の被検査用の電極２、３のうち１個の電極が占める領域と略同一の領域内に配置されるのが、測定誤差を少なくするためには望ましい。
【００６１】
また、この場合、ピッチ変換用基板２３において、電流用端子電極２７と電圧用端子電極２８との間の離間距離Ｌ１は、１０μｍ以上であることが好ましい。この離間距離Ｌ１が１０μｍより小さい場合には、第１の異方導電性シート２２ａ，２２ｂを介して電流用端子電極２７と電圧用端子電極２８との間に流れる電流が大きくなるため、高い精度で電気抵抗を測定することが困難になることがあり、正確な電気特性検査を実施することができないからである。
【００６２】
一方、電流用端子電極２７と電圧用端子電極２８との間の離間距離Ｌ１の上限は、被検査回路基板１の被検査用の電極２、３の寸法およびピッチ、ならびに電流用端子電極２７と電圧用端子電極２８の寸法によって定まるものであって、特に限定されるものではないが、通常は５００μｍ以下である。この離間距離Ｌ１が大きすぎる場合には、サイズの小さい被検査回路基板１の被検査用の電極２、３の１個に対して、電流用端子電極２７と電圧用端子電極２８の両方を適切に配置することが困難となるからである。
【００６３】
一方、ピッチ変換用基板２３の他方の表面、ずなわち、被検査回路基板１と反対側には、図４に示したように、中継ピンユニット３１の導電ピン３２ａ、３２ｂに電気的に接続される複数の端子電極２４が形成されている。これらの端子電極２４は、例えば、ピッチが２．５４ｍｍ、１．８ｍｍ、１．２７ｍｍ、１．０６ｍｍ、０．８ｍｍ、０．７５ｍｍ、０．５ｍｍ、０．４５ｍｍ、０．３ｍｍまたは０．２ｍｍの一定ピッチの格子点上に配置されており、そのピッチは中継ピンユニットの導電ピン３２ａ、３２ｂの配置ピッチと同一である。
【００６４】
なお、この場合、図４では、ピッチ変換用基板２３の表面の一部に、複数の端子電極２４を、一定ピッチの格子点上に配置したが、図示しないが、ピッチ変換用基板２３の表面の全体にわたって、複数の端子電極２４を、一定ピッチの格子点上に配置することも可能である。
【００６５】
図３のそれぞれの接続電極２５、すなわち、電流用端子電極２７と電圧用端子電極２８はそれぞれ、別々の配線５２および絶縁基板５１の厚み方向に貫通する内部配線５３によって、対応する図４の端子電極２４に、図８に示したように、電気的に接続されている。
【００６６】
ピッチ変換用基板２３の表面における絶縁部は、例えば、図７に示したように、絶縁基板５１の表面に、それぞれの接続電極２５が露出するように形成された絶縁層５４で構成され、この絶縁層５４の厚みは、好ましくは５〜１００μｍ、より好ましくは１０〜６０μｍである。この厚みが過小である場合、表面粗さが小さい絶縁層を形成することが困難となることがあるからである。一方、この厚みが過大である場合、接続電極２５と異方導電性シートとの電気的接続が困難となることがあるからである。
【００６７】
ピッチ変換用基板の絶縁基板５１を形成する材料としては、一般にプリント回路基板の基材として使用されるものを用いることができる。具体的には、例えばポリイミド樹脂、ガラス繊維補強型ポリイミド樹脂、ガラス繊維補強型エポキシ樹脂、ガラス繊維補強型ビスマレイミドトリアジン樹脂などを挙げることができる。
【００６８】
図７の絶縁層５４、５５の形成材料としては、薄膜状に成形可能な高分子材料を用いることができ、具体的には、例えばエポキシ樹脂、アクリル樹脂、フェノール樹脂、ポリイミド樹脂、ポリアミド樹脂、これらの混合物、レジスト材料などを挙げることができる。
【００６９】
ピッチ変換用基板２３は、例えば、次のようにして製造することができる。まず、平板状の絶縁基板の両面に金属薄層を積層した積層材料を用意し、この積層材料に対して、形成すべき端子電極に対応するパターンに対応して積層材料の厚み方向に貫通する複数の貫通孔を、数値制御型ドリリング装置、フォトエッチング処理、レーザー加工処理などにより形成する。
【００７０】
次いで、積層材料に形成された貫通孔内に無電解メッキおよび電解メッキを施すことによって、基板両面の金属薄層に連結されたバイアホールを形成する。その後、金属薄層に対してフォトエッチング処理を施すことにより、絶縁基板の表面に配線パターンおよび接続電極を形成するとともに、反対側の表面に端子電極を形成する。
【００７１】
そして、図７に示したように、絶縁基板５１の表面に、それぞれの接続電極２５が露出するように絶縁層５４を形成するとともに、反対側の表面に、それぞれの端子電極２４が露出するように絶縁層５５を形成することにより、ピッチ変換用基板２３が得られる。なお、絶縁層５５の厚みは、好ましくは５〜１００μｍ、より好ましくは１０〜６０μｍである。
【００７２】
回路基板側コネクタ２１を構成し、ピッチ変換用回路基板２３と積層される第１の異方導電性シート２２は、図５に示したように、絶縁性の弾性高分子からなるシート基材６１中に多数の導電性粒子６２が面方向に分散されるとともに厚み方向に配列した状態で含有されている。
【００７３】
第１の異方導電性シート２２の厚みは、０．０３〜０．５ｍｍであることが好ましく、より好ましくは０．０５〜０．２ｍｍである。この最小厚みが０．０３ｍｍ未満である場合には、第１の異方導電性シート２２の機械的強度が低いものとなりやすく、必要な耐久性が得られないことがある。一方、この第１の異方導電性シート２２の厚みが０．５ｍｍを超える場合には、厚み方向の電気抵抗が大きいものとなりやすく、また、接続すべき電極のピッチが小さいものである場合には、加圧により形成される導電路間における所要の絶縁性が得られず、被検査電極間で電気的な短絡が生じて検査対象回路基板の電気的検査が困難となることがある。
【００７４】
第１の異方導電性シート２２のシート基材６１を構成する弾性高分子物質は、そのデュロメータ硬さが３０〜９０のものとされ、好ましくは３５〜８０のものとされ、さらに好ましくは４０〜７０のものとされる。
【００７５】
本発明において、「デュロメータ硬さ」とは、ＪＩＳ Ｋ６２５３のデュロメータ硬さ
試験に基づいて、タイプＡデュロメータによって測定されたものをいう。弾性高分子物質のデュロメータ硬さが３０未満である場合には、厚み方向に押圧された際に、異方導電性シートの圧縮、変形が大きく、大きな永久歪みが生じるため、異方導電性シートが早期に劣化して検査使用が困難となり耐久性の低いものとなりやすい。
【００７６】
一方、弾性高分子物質のデュロメータ硬さが９０を超える場合には、異方導電性シートが厚み方向に押圧されたときに、厚み方向の変形量が不十分なものとなるため、良好な接続信頼性が得られず、接続不良が発生しやすくなる。
【００７７】
第１の異方導電性シート２２の基材を構成する弾性高分子物質としては、上記のデュロメータ硬さを示すものであればとく限定されないが、形成加工性および電気特性の観点から、シリコーンゴムを用いることが好ましい。
【００７８】
第１の異方導電性シート２２を構成する導電性粒子６２に、磁性導電性粒子を使用する場合は、その数平均粒子径Ｄ1が３〜５０μｍであることが好ましく、さらに５〜３０μ
ｍであることが好ましく、８〜２０μｍであることが特に好ましい。
【００７９】
ここで、「磁性導電性粒子の数平均粒子径」とは、レーザー回折散乱法によって測定されたものをいう。
磁性導電性粒子の数平均粒子径Ｄ1が３μｍ以上であることにより、得られる異方導電
性シートが磁性導電性粒子が含有されている部分の加圧変形が容易なものとなり、また、その製造工程において、磁場配向処理によって磁性導電性粒子を配向させる場合、磁性導電性粒子の配向が容易となりやすく、そのため、得られる異方導電性シートが異方性の高いものとなり、異方導電性シートの分解能（異方導電性シートを加圧して、厚み方法に対向する電極間の電気的導通達成しつつ、横方法に隣接する電極間の電気的絶縁を保持する能力）が良好なものとなる。
【００８０】
一方、磁性導電性粒子の数平均粒子径Ｄ1が５０μｍ以下であることにより、得られる
異方導電性シートが、その弾性が良好で加圧変形が容易なものとなり、微細で微小ピッチの電極に対しても分解能が良好なものとなる。
【００８１】
そして、第１の異方導電性シート２２においては、その厚みＷ1（μｍ）と、磁性導電
性粒子の数平均粒子径Ｄ1（μｍ）との比率Ｗ1／Ｄ1が１．１〜１０であることが好まし
い。
【００８２】
比率Ｗ1／Ｄ1が１．１未満である場合には、異方導電性シートの厚みに対して磁性導電性粒子の直径が同等あるいは大きいものとなるため、この異方導電性シートはその弾性が低いものとなり、そのため、この異方導電性シートをプリント配線基板などの被検査物（被検査回路基板１）と検査電極との間に配置して加圧を行い接触導通状態を達成する際に、被検査物が傷つきやすくなる。
【００８３】
一方、比率Ｗ1／Ｄ1が１０を超える場合には、異方導電性シートをプリント配線基板などの被検査物と検査電極との間に配置して加圧を行い接触導通状態を達成する際に、被検査物と検査電極との間に多数の導電性粒子が配列して連鎖を形成することとなり、そのため、多数の導電性粒子同士の接点が存在することから、電気的抵抗値が高いものとなりやすく、電気的検査の使用が困難となりやすい。
【００８４】
磁性導電性粒子としては、後述する製造方法により異方導電性シートを形成するためのシート成形材料中において、当該磁性導電性粒子を磁場の作用によって容易に移動させることができる観点から、その飽和磁化が０．１Ｗｂ／ｍ2 以上のものを好ましく用いることができ、より好ましくは０．３Ｗｂ／ｍ2 以上、特に好ましくは０．５Ｗｂ／ｍ2 以上のものである。
【００８５】
飽和磁化が０．１Ｗｂ／ｍ2 以上であることにより、その製造工程において磁性導電性粒子を磁場の作用によって確実に移動させて所望の配向状態とすることができるため、異方導電性シートを使用する際に磁性導電性粒子の連鎖を形成することができる。
【００８６】
磁性導電性粒子の具体例としては、鉄、ニッケル、コバルトなどの磁性を示す金属の粒子若しくはこれらの合金の粒子またはこれらの金属を含有する粒子、またはこれらの粒子
を芯粒子とし、当該芯粒子の表面に高導電性金属を被覆した複合粒子、あるいは非磁性金属粒子若しくはガラスビーズなどの無機物質粒子またはポリマー粒子を芯粒子とし、当該芯粒子の表面に、高導電性金属のメッキを施した複合粒子、あるいは芯粒子に、フェライト、金属間化合物などの導電性磁性体および高導電性金属の両方を被覆した複合粒子などが挙げられる。
【００８７】
ここで、「高導電性金属」とは、０℃における導電率が５×１０6 Ω-1ｍ-1以上の金属をいう。
このような高導電性金属としては、具体的に、金、銀、ロジウム、白金、クロムなどを用いることができ、これらの中では、化学的に安定でかつ高い導電率を有する点で金を用いることが好ましい。
【００８８】
これらの磁性導電性粒子の中では、ニッケル粒子を芯粒子とし、その表面に金や銀などの高導電性金属のメッキを施した複合粒子が好ましい。
芯粒子の表面に高導電性金属を被覆する手段としては、特に限定されるものではないが、例えば、無電解メッキ法を用いることができる。
【００８９】
磁性導電性粒子は、その数平均粒子径の変動係数が５０％以下のものであることが好ましく、より好ましくは４０％以下、さらに好ましくは３０％以下、特に好ましくは２０％以下のものである。
【００９０】
ここで、「数平均粒子径の変動係数」とは、式：（σ／Ｄｎ）×１００（但し、σは、粒子径の標準偏差の値を示し、Ｄｎは、粒子の数平均粒子径を示す。）によって求められるものである。
【００９１】
磁性導電性粒子の数平均粒子径の変動係数が５０％以下であることにより、粒子径の不揃いの程度が小さくなるため、得られる異方導電性シートにおける部分的な導電性のバラツキを小さくすることができる。
【００９２】
このような磁性導電性粒子は、金属材料を常法により粒子化し、あるいは市販の金属粒子を用意し、この粒子に対して分級処理を行うことにより得ることができる。
粒子の分級処理は、例えば、空気分級装置、音波ふるい装置などの分級装置によって行うことができる。
【００９３】
また、分級処理の具体的な条件は、目的とする導電性金属粒子の数平均粒子径、分級装置の種類などに応じて適宜設定される。
磁性導電性粒子においては、その具体的な形状は、特に限定されるものではないが、複数の球形の一次粒子が一体的に連結されてなる二次粒子からなる形状のものを好ましい形状の粒子として挙げることができる。
【００９４】
磁性導電性粒子として、芯粒子の表面に高導電性金属が被覆されてなる複合粒子（以下、「導電性複合金属粒子」ともいう。）を用いる場合には、良好な導電性が得られる観点から、当該導電性複合金属粒子の表面における高導電性金属の被覆率（芯粒子の表面積に対する高導電性金属の被覆面積の割合）が４０％以上であることが好ましく、さらに好ましくは４５％以上、特に好ましくは４７〜９５％である。
【００９５】
また、高導電性金属の被覆量は、芯粒子の重量の２．５〜５０質量％であることが好ましく、より好ましくは３〜４５質量％、さらに好ましくは３．５〜４０質量％、特に好ましくは５〜３０質量％である。
【００９６】
このような、絶縁性の弾性高分子物質中に多数の導電性粒子６２が面方向に分散し厚み方向に配列した状態で含有されてなる異方導電性シートは、例えば、特開２００３−７７５６０号公報に示されるように、硬化されて弾性高分子物質となる高分子物質用材料中に、磁性を示す導電性粒子が含有されてなる流動性の成形材料を調製し、この成形材料よりなる成形材料層を、当該成形材料層における一面に接する一面側成形部材と、当該成形材料層における他面に接する他面側成形部材との間に形成し、この成形材料層に対してその厚み方向に磁場を作用させると共に、当該成形材料層を硬化処理する方法等により製造することができる。
【００９７】
ピッチ変換用基板２３の中継ピンユニット３１側に配置される第２の異方導電性シート２６は、図６に示したように、絶縁性の弾性高分子材料中に多数の導電性粒子６２が厚み方向に配列して形成された導電路形成部７２と、それぞれの導電路形成部７２を離間する絶縁部７１から構成されている。このように、導電性粒子６２は導電路形成部７２中にのみ、面方向に不均一に分散されている。
【００９８】
導電路形成部７２の厚みＷ2は、好ましくは０．１〜２ｍｍ、より好ましくは０．２〜
１．５ｍｍである。この厚みＷ2が０．１ｍｍ未満である場合、厚み方向の加圧に対する
吸収能力が低く、検査時において検査治具による加圧力の吸収が小さくなり、回路基板側コネクタ２１への衝撃を緩和する効果が減少する。このため、第１の異方導電性シート２２の劣化を抑制しにくくなり、結果として被検査回路基板１の繰り返し検査時における第１の異方導電性シート２２の交換回数が増加して、検査の効率が低下する。一方、この厚みＷ2が２ｍｍを超える場合、厚み方向の電気抵抗が大きくなり易く電気検査が困難とな
ることがある。
【００９９】
絶縁部７１の厚みは、導電路形成部７２の厚みと実質的に同一か、それよりも小さいことが好ましい。図６に示したように、絶縁部７１の厚みを導電路形成部７２の厚みよりも小さくして導電路形成部７２が絶縁部７１より突出した突出部７３を形成することにより、厚み方向の加圧に対して導電路形成部７２の変形が容易になり、加圧力の吸収能力が増大するため、検査時において検査治具の加圧力を吸収し、回路基板側コネクタへ２１の衝撃を緩和することができる。
【０１００】
第２の異方導電性シート２６を構成する導電性粒子６２に、磁性導電性粒子を使用する場合、その数平均粒子径は好ましくは５〜２００μｍ、より好ましくは５〜１５０μｍ、さらに好ましくは１０〜１００μｍである。ここで、「磁性導電性粒子の数平均粒子径」とは、レーザー回折散乱法によって測定されたものをいう。磁性導電性粒子の数平均粒子径が５μｍ以上であると、異方導電性シートの導電路形成部の加圧変形が容易になる。また、その製造工程において磁場配向処理によって磁性導電性粒子を配向させる場合、磁性導電性粒子の配向が容易である。磁性導電性粒子の数平均粒子径が２００μｍ以下であると、異方導電性シートの導電路形成部７２の弾性が良好で加圧変形が容易になる。
【０１０１】
導電路形成部７２の厚みＷ2（μｍ）と、磁性導電性粒子の数平均粒子径Ｄ2（μｍ）との比率Ｗ2／Ｄ2は１．１〜１０であることが好ましい。
比率Ｗ2／Ｄ2が１．１未満である場合、導電路形成部７２の厚みに対して磁性導電性粒子の直径が同等あるいはそれよりも大きくなるため、導電路形成部７２の弾性が低くなり、その厚み方向の加圧力の吸収能力が小さくなる。検査時における検査治具の加圧圧力を吸収が小さくなり、回路基板側コネクタ２１への衝撃を緩和する効果が減少するため、第１の異方導電性シート２２の劣化を抑制しにくくなり、結果として被検査回路基板１の繰り返し検査時において、第１の異方導電性シート２２の交換回数が増加して、検査の効率が低下し易くなる。
【０１０２】
一方、比率Ｗ2／Ｄ2が１０を超える場合、導電路形成部７２に多数の導電性粒子が配列して連鎖を形成することとなり、導電性粒子同士の接点が多数存在することになるため、電気的抵抗値が高くなり易い。
【０１０３】
導電路形成部７２の基材である弾性高分子（エラストマー）は、そのタイプＡデュロメータによって測定されたデュロメータ硬さが好ましくは１５〜６０、より好ましくは２０〜５０、さらに好ましくは２５〜４５である。
【０１０４】
弾性高分子のデュロメータ硬さが、１５よりも小さい場合、厚み方向に押圧された際のシートの圧縮、変形が大きく、大きな永久歪が生じるためシート形状が早期に変形して検査時の電気的接続が困難となり易い。弾性高分子のデュロメータ硬さが、６０よりも大きい場合、厚み方向に押圧された際の変形が小さくなるため、その厚み方向の加圧力の吸収能力が小さくなる。このため、第１の異方導電性シート２２の劣化を抑制しにくくなり、結果として、被検査回路基板１の繰り返し検査時において、第１の異方導電性シート２２の交換回数が増加して、検査の効率が低下しやすくなる。
【０１０５】
導電路形成部７２の基材となる弾性高分子としては、上記のデュロメータ硬さを示すものであれば特に限定されないが、加工性および電気特性の点から、シリコーンゴムを用いることが好ましい。
【０１０６】
第２の異方導電性シート２６の絶縁部７１は、実質的に導電性粒子を含有しない絶縁材料により形成される。絶縁材料としては、例えば、絶縁性の高分子材料、無機材料、表面を絶縁化処理した金属材料などを用いることができるが、導電路形成部に使用した弾性高分子と同一の材料を用いると生産が容易である。絶縁部の材料として弾性高分子を使用する場合、デュロメータ硬さが上記の範囲であるものを使用することが好ましい。
【０１０７】
磁性導電性粒子としては、前述の第１異方導電性シートに用いられる導電性粒子を用いることができる。
本発明の第２の異方導電性シート２６は、以下のようにして製造することができる。
【０１０８】
例えば、それぞれ全体の形状が略平板状であって、互いに対応する上型と下型とよりなり、上型と下型との間の成形空間内に充填された材料層に磁場を作用させながら当該材料層を加熱硬化することができる構成の異方導電性シート成形用金型を用意する。
【０１０９】
この異方導電性シート成形用金型は、材料層に磁場を作用させて適正な位置に導電性を有する部分を形成するために、上型および下型の両方は、鉄、ニッケルなどの強磁性体からなる基板上に、金型内の磁場に強度分布を生じさせるための鉄、ニッケルなどよりなる強磁性体部分と、銅などの非磁性金属若しくは樹脂よりなる非磁性体部分とが互いに隣接するよう交互に配置されたモザイク状の層を有する構成のものであり、強磁性体部分は、形成すべき導電路形成部のパターンに対応するパターンに従って配列されている。
【０１１０】
ここで、上型の成形面は平坦であり、下型の成形面は形成すべき異方導電性シートの導電路形成部に対応してわずかに凹凸を有するものである。
そして、上記の異方導電性シート成形用金型を用いて、以下のようにして異方導電性シートが製造される。
【０１１１】
先ず、異方導電性シート成形用金型の成形空間内に、硬化されて弾性高分子物質となる高分子物質材料中に磁性を示す導電性粒子が含有されてなる成形材料を注入して成形材料層を形成する。
【０１１２】
次に、上型および下型の各々における強磁性体部分および非磁性体部分を利用し、形成された成形材料層に対してその厚み方向に強度分布を有する磁場を作用させることにより、その磁力の作用によって、導電性粒子を、上型における強磁性体部分と、その直下に位置する下型における強磁性体部分との間に集合させ、更には導電性粒子を厚み方向に並ぶように配向させる。そして、その状態で当該成形材料層を硬化処理することにより、複数の柱状の導電路形成部が、絶縁部によって互い絶縁されてなる構成を有する異方導電性シートが製造される。
【０１１３】
一方、テスター側コネクタ４１ａ，４１ｂは、図１に示したように、第３の異方導電性シート４２ａ，４２ｂとコネクタ基板４３ａ，４３ｂと、ベース板４６ａ，４６ｂとを備えている。第３の異方導電性シート４２ａ，４２ｂは、前述した第２の異方導電性シート２６と同様のものが使用され、図６に示したような、絶縁性の弾性高分子材料中に多数の導電性粒子が厚み方向に配列して形成された導電路形成部と、それぞれの導電路形成部を離間する絶縁部とから構成されている。
【０１１４】
コネクタ基板４３ａ，４３ｂには、絶縁基板から構成され、その表面の中継ピンユニット３１側に、図１、２に示したようにピン側電極４５ａ，４５ｂが形成されている。
これらのピン側電極４５は、図８に示したように、前述したピッチ変換用基板２３の接続電極２５、すなわち、電流用端子電極２７と電圧用端子電極２８とに別個にそれぞれ電気的に接続するように、電流用ピン側電極４７と電圧用ピン側電極４８から構成されており、後述する中継ピンユニット３１の導電ピン３２に対応する位置に配置されている。
【０１１５】
この場合、これらのピン側電極４５は、一定ピッチ、例えば、２．５４ｍｍ、１．８ｍｍ、１．２７ｍｍ、１．０６ｍｍ、０．８ｍｍ、０．７５ｍｍ、０．５ｍｍ、０．４５ｍｍ、０．３ｍｍまたは０．２ｍｍの一定ピッチの格子点上に配置されており、その配置ピッチは中継ピンユニット３１の導電ピン３２の配置ピッチと同一である。
【０１１６】
それぞれのピン側電極４５は、絶縁基板の表面に形成された配線パターンおよびその内部に形成された内部配線によって、テスター側電極４４ａ，４４ｂに電気的に接続されている。
【０１１７】
なお、この実施例では、ピン側電極４５は、ピン形状としたが、この形状はピン形状に限定されるものではなく、例えば、平坦な電極とするなど種々の変更が可能である。
中継ピンユニット３１は、図１、図２に示したように、上下方向を向くように並列に、所定のピッチで設けられた多数の導電ピン３２ａ，３２ｂを備えている。また、中継ピンユニット３１は、これらの導電ピン３２ａ，３２ｂの両端側に設けられ、導電ピン３２ａ，３２ｂを挿通支持する被検査回路基板１側に配置された絶縁板３４ａ，３４ｂと、被検査回路基板１側と反対側に配置された絶縁板３４ａ，３４ｂの２枚の(一対の)絶縁板を備えている。
【０１１８】
導電ピン３２は、例えば、図９に示したように、直径の大きい中央部８２と、これよりも直径の小さい端部８１ａ，８１ｂとからなる。
これらの一対の絶縁板３４ａ，３４ｂには導電ピン３２の端部８１が挿入される貫通孔８３が形成されている。そして、貫通孔８３の直径が、導電ピン３２の端部８１の直径よりも大きく、且つ中央部８２の直径よりも小さく形成され、これにより導電ピン３２が脱落しないように保持されている。
【０１１９】
２枚の絶縁板３４は、支持ピン３３ａ、３３ｂによりこれらの間隔が導電ピン３２の中央部８２の長さよりも長くなるように固定され、これにより導電ピン３２が上下に可動するように保持されている。
【０１２０】
導電ピン３２の端部８１の長さは、絶縁板３４の厚みよりも長くなるように形成され、これにより、少なくとも一方の絶縁板３４から導電ピン３２が突出するようになっている。
【０１２１】
中継ピンユニットは、多数の導電ピンが、一定ピッチ、例えば、２．５４ｍｍ、１．８ｍｍ、１．２７ｍｍ、１．０６ｍｍ、０．８ｍｍ、０．７５ｍｍ、０．５ｍｍ、０．４５ｍｍ、０．３ｍｍまたは０．２ｍｍのピッチの格子点上に配置されている。
【０１２２】
中継ピンユニット３１の導電ピン３２の配置ピッチと、ピッチ変換用基板２３に設けられた端子電極２４の配置ピッチとを同一とすることにより、導電ピン３２を介してピッチ変換用基板２３がテスター側に電気的に接続されるようになっている。
【０１２３】
なお、2枚の絶縁板３４との間の距離としては、特に限定されるものではないが、２０
ｍｍ以上、好ましくは４０ｍｍ以上とするのが望ましい。
具体的に、絶縁板３４の材料としては、固有抵抗が１×１０10Ω・ｃｍ以上の絶縁性材料、例えばポリイミド樹脂、ポリエステル樹脂、ポリアミド樹脂、フェノール樹脂、ポリアセタール樹脂、ポリブチレンテレフタレート樹脂、ポチエチレンテレフタレート樹脂、シンジオタクチック・ポリスチレン樹脂、ポリフェニレンサルファイド樹脂、ポリエーテルエチルケトン樹脂、フッ素樹脂、ポリエーテルニトリル樹脂、ポリエーテルサルホン樹脂、ポリアリレート樹脂、ポリアミドイミド樹脂等の機械的強度の高い樹脂材料、ガラス繊維補強型エポキシ樹脂、ガラス繊維補強型ポリエステル樹脂、ガラス繊維補強型ポリイミド樹脂、ガラス繊維補強フェノール樹脂、ガラス繊維補強型フッ素樹脂等のガラス繊維型複合樹脂材料、カーボン繊維補強型エポキシ樹脂、カーボン繊維補強型ポリエステル樹脂、カーボン繊維補強型ポリイミド樹脂、カーボン繊維補強型フェノール樹脂、カーボン繊維補強型フッ素樹脂等のカーボン繊維型複合樹脂、エポキシ樹脂、フェノール樹脂等にシリカ、アルミナ、ボロンナイトライド等の無機材料を充填した複合樹脂材料、エポキシ樹脂、フェノール樹脂等にメッシュを含有した複合樹脂材料などが用いられる。また、これらの材料からなる板材を複数積層して構成された複合板材等も用いることができる。
【０１２４】
絶縁板３４の各々の厚みは、絶縁板３４を構成する材料の種類に応じて適宜選択されるが、例えば、１〜１０ｍｍであるのが望ましい。
絶縁板３４としては、具体的には、ガラス繊維補強型エポキシ樹脂よりなり、その厚みが２〜５ｍｍのものが挙げられる。
【０１２５】
このように構成される検査装置１０では、図２に示したように、被検査回路基板１の電極２および電極３は、第１の異方導電性シート２２ａ，２２ｂ、ピッチ変換用基板２３ａ，２３ｂ、第２の異方導電性シート２６ａ，２６ｂ、導電ピン３２ａ，３２ｂ、第３の異方導電性シート４２ａ，４２ｂ、コネクタ基板４３ａ，４３ｂを介して、最外側に配置されたベース板４６ａ，４６ｂをテスターの加圧機構により規定の圧力で押圧することによってテスター（図示せず）に電気的に接続され、被検査回路基板１の電極間における電気抵抗測定などの電気検査が行われる。
【０１２６】
測定時に被検査基板に対して上側および下側の第１の検査治具１１ａ、第２の検査治具１１ｂから押圧する圧力は、例えば、１００〜２５０ｋｇｆである。
この場合、図８に示したように、被検査回路基板１の被検査用の電極２、３のうち１個の電極に対して、第１の異方導電性シートを介して、ピッチ変換用基板２３の被検査回路基板１側の一対の電流用端子電極２７と電圧用端子電極２８が電気的に接続される。
【０１２７】
そして、ピッチ変換用基板２３の被検査回路基板１側の一対の電流用端子電極２７と電
圧用端子電極２８から、ピッチ変換用基板２３の被検査回路基板１と反対側の端子電極２４、第２の異方導電性シート２６、中継ピンユニット３１の導電ピン３２、第３の異方導電性シート４２を介して、ピッチ変換用基板２３の電流用端子電極２７が、コネクタ基板４３の電流用ピン側電極４７に電気的に接続されるとともに、ピッチ変換用基板２３の電圧用端子電極２８が、コネクタ基板４３の電圧用端子電極４８に電気的に接続されるようになっている。
【０１２８】
これにより、図８に示したように、被検査回路基板１の各被検査用電極２、３に対してそれぞれ、上下一つのピッチ変換用基板２３ａ、２３ｂの電流用端子電極２７ａ、２７ｂを介して、電流計測経路Ｉが構成されることになる、一方、被検査回路基板１の各被検査用電極２，３に対してそれぞれ、上下一つのピッチ変換用基板２、３の電圧用端子電極２８ａ、２８ｂを介して、電圧計測経路Ｖが構成されることになる。
【０１２９】
従って、被検査回路基板１の各被検査用電極２、３に対して、上下一つのピッチ変換用基板２３ａ、２３ｂの電圧用端子電極２８ａ、２８ｂを介して、電圧計測経路Ｖに電圧を印加しながら、上下一つのピッチ変換用基板２３の電流用端子電極２７ａ、２７ｂを介して、電流計測経路Ｉによって、被検査回路基板１の各被検査用電極２、３に対して、電流を測定して、被検査回路基板１の配線パターンが所定の性能を有するか否かについての電気的特性の確認試験を行うことができる。
【０１３０】
逆に、被検査回路基板１の各被検査用電極２、３に対して、上下一つのピッチ変換用基板２３ａ、２３ｂの電流用端子電極２７ａ、２７ｂを介して、電流計測経路Ｉに電流を供給しながら、上下一つのピッチ変換用基板２３ａ、２３ｂの電圧用端子電極２８ａ、２８ｂを介して、電圧測経路Ｖによって、被検査回路基板１の各被検査用電極２、３に対して、電圧を測定して、被検査回路基板１の配線パターンが所定の性能を有するか否かについての電気的特性の確認試験を行うことができる。
【０１３１】
このように、被検査回路基板１の各被検査用電極２、３に対して、別個の電圧計測経路Ｖ、電流計測経路Ｉを介して、別個に電圧と電流を測定することができるので、検査回路基板の配線パターンが所定の性能を有するか否かについての電気的特性について正確な確認試験を行うことができ、しかも、確認試験に要する時間も短時間で実施することができる。
【０１３２】
また、被検査回路基板１の被検査回路に対して、電流を供給しながら電圧を測定できるので、従来の検査装置における導通抵抗値の良否判断の設定電圧よりも、低い設定電圧において、被検査回路基板１の被検査回路の導通抵抗値の安定した測定が可能となる。
【０１３３】
すなわち、高精度な検査の要件として低い設定電圧での回路の良否判断が必要とされるが、本発明によれば、従来の検査装置よりも、潜在的な電気的な欠陥を有する被検査回路基板を高い確率で不良品として判断し除去できるので、信頼性の高い回路基板の確認試験を実施することが可能である。
【０１３４】
なお、被検査回路基板１の各被検査用電極２、３に対して、上下一つのピッチ変換用基板２３ａ、２３ｂの電圧用端子電極２８ａ、２８ｂを介して、例えば、定電圧装置を用いて、電圧計測経路Vに対して一定の電圧を加えながら、上下一つのピッチ変換用基板２３
ａ、２３ｂの電流用端子電極２７ａ、２７ｂを介して、電流供給経路Iによって、被検査
回路基板１の各被検査用電極２、３からの電流を電流計によって測定することによって、被検査回路基板１の配線パターンが所定の性能を有するか否かについての電気的特性の確認試験を行うこともできる。
【０１３５】
以上、本発明の実施形態について説明したが、本発明はこれらの実施形態に限定されるものではなく、その要旨を逸脱しない範囲内において種々の変形、変更および修正が可能である。
【０１３６】
例えば、被検査回路基板１は、プリント回路基板以外に、パッケージＩＣ、ＭＣＭ、ＣＳＰなどの半導体集積回路装置、ウェハに形成された回路装置であってもよい。また、プリント回路基板は、両面プリント回路基板だけではなく片面プリント回路基板であってもよい。
【０１３７】
第１の検査治具１１ａと第２の検査治具は、使用材料、部材構造などにおいて必ずしも同一である必要はなく、これらが異なるものであってもよい。また、上記の実施例では、第１の検査治具１１ａと第２の検査治具１１ｂとを上下に配置したが、いわゆる横方向に配置した横置き型とすることも可能である。
【０１３８】
また、テスター側コネクタは、コネクタ基板のような回路基板と異方導電性シートを複数積層して構成してもよい。
さらに、上記実施例では、第１の異方導電性シート２２が、導電性粒子が厚み方向に配列するとともに面方向に均一に分散された異方導電性シートとし、第２の異方導電性シート２６および第３の異方導電性シート４２が、厚み方向に延びる複数の導電路形成部と、これらの導電路形成部を互いに絶縁する絶縁部とからなり、導電性粒子が導電路形成部中にのみ含有され、これにより該導電性粒子は面方向に不均一に分散されるとともに、シート片面側に導電路形成部が突出しているものを用いたが、この組み合わせは、特に限定されるものではない。
【０１３９】
以下に、本発明の実施例および比較例を示す。
（実施例１）
レール搬送型回路基板自動検査機（日本電産リード社製，品名：ＳＴＡＲＲＥＣ  Ｖ５）の検査部に適合する、図１に示したような、下記の評価用回路基板を検査するための回路基板検査装置１０を作製した。
【０１４０】
（１）評価用回路基板１
下記の仕様の評価用回路基板１を用意した。
寸法：１００ｍｍ（縦）×１００ｍｍ（横）×０．８ｍｍ（厚み）
上面側の被検査電極の数：３４００個
上面側の被検査電極の径：０．３ｍｍ
上面側の被検査電極の最小配置ピッチ：０．４ｍｍ
下面側の被検査電極の数：２５００
下面側の被検査電極の径：０．３ｍｍ
下面側の被検査電極の最小配置ピッチ：０．４ｍｍ
（２）第１の異方導電性シート２２
寸法：１１０ｍｍ×１１０ｍｍ、厚み０．１ｍｍ
導電性粒子：材質；金メッキ処理を施したニッケル粒子、平均粒子径；２０μｍ、含有率；１８体積％
弾性高分子物質：材質；シリコーンゴム、硬度；４０
からなる導電性粒子が厚み方向に配列するとともに面方向に均一に分散された第１の異方導電性シート２２を作製した。
【０１４１】
（３）ピッチ変換用基板２３
ガラス繊維補強型エポキシ樹脂からなる厚さ０．５ｍｍの絶縁基板の両面全面に、厚みが１８μｍの銅からなる金属薄層を形成した積層材料（松下電工社製，品名：Ｒ−１７６
６）に、数値制御型ドリリング装置によって、それぞれ積層材料の厚み方向に貫通する直径０．１ｍｍの円形の貫通孔を合計で６８００個形成した。
【０１４２】
この場合、貫通孔の形成は２個を一組として、評価用回路基板の上面側の被検査電極に対応する位置に形成し、一組の貫通孔は０．１ｍｍの間隙を設けて形成した（すなわち、貫通孔Ａ＝０．１ｍｍ と貫通孔Ｂ＝０．１ｍｍの間の間隙＝０．１ｍｍとなるように設
定することを意味する）。
【０１４３】
その後、貫通孔が形成された積層材料に対し、ＥＤＴＡタイプ銅メッキ液を用いて無電解メッキ処理を施すことにより、各貫通孔の内壁に銅メッキ層を形成し、さらに、硫酸銅メッキ液を用いて電解銅メッキ処理を施すことにより、各貫通孔内に、積層材料表面の各金属薄層を互いに電気的に接続する、厚さ約１０μｍの円筒状のバイアホールを形成した。
【０１４４】
次いで、積層材料表面の金属薄層上に、厚みが２５μｍのドライフィルムレジスト（東京応化製，品名：ＦＰ−２２５）をラミネートしてレジスト層を形成するとともに、この積層材料の他面側の金属薄層上に保護シールを配置した。このレジスト層上にフォトマスクフィルムを配置し、レジスト層に対して、平行光露光機（オーク製作所製）を用いて露光処理を施した後、現像処理を行うことにより、エッチング用のレジストパターンを形成した。そして、レジストパターンを形成した面の金属薄層に対してエッチング処理を施すことにより、絶縁基板の表面に、横６０μｍ、縦１５０μｍの６８００個の接続電極と、各接続電極とバイアホールとを電気的に接続する線幅が１００μｍのパターン配線部を形成し、次いで、レジストパターンを除去した。
【０１４５】
次に、積層材料の接続電極とパターン配線部を形成した側の面に、厚みが５０μｍのドライフィルムレジスト（東京応化製，品名：ＦＰ−２２５）をラミネートしてレジスト層を形成し、このレジスト層の上にフォトマスクフィルムを配置して、レジスト層に対して平行光露光機（オーク製作所製）を用いて露光処理を施した後、現像処理を行うことにより、それぞれの接続電極を露出する、横方向６０μｍ、縦方向１５０μｍの矩形の６８００個の開口を形成した。
【０１４６】
そして、硫酸銅メッキ液を用い、積層材料の他面側の金属薄層を共通電極として用い、それぞれの接続電極に対して電解銅メッキ処理を施すことにより６８００個の接続電極を形成した。次いでレジストパターンを除去した。
【０１４７】
次いで、積層材料の他面側の金属薄層上の保護シールを除去し、この面の金属薄層上に、厚みが２５μｍのドライフィルムレジスト（東京応化製，品名：ＦＰ−２２５）をラミネートしてレジスト層を形成した。その後、このレジスト層上にフォトマスクフィルムを配置し、レジスト層に対して、平行光露光機（オーク製作所製）を用いて露光処理を施した後、現像処理を行うことにより、積層材料における金属薄層上にエッチング用のレジストパターンを形成した。
【０１４８】
次いで、積層材料の接続電極を形成した側の面に保護シールを施した後に、エッチング処理を施すことにより、絶縁性基板の裏面に６８００個の端子電極と、各端子電極とバイアホールとを電気的に接続するパターン配線部を形成し、レジストパターンを除去した。
【０１４９】
次いで、端子電極およびパターン配線部が形成された絶縁基板の裏面に、厚みが３８μｍのドライフィルムソルダーレジスト（ニチゴーモートン製、品名：コンフォマスク２０１５）をラミネートして絶縁層を形成し、この絶縁層上にフォトマスクフィルムを配置し、次いで、絶縁層に対して、平行光露光機（オーク製作所製）を用いて露光処理を施した
後、現像処理することにより、電極を露出する直径０．４ｍｍの開口を６８００個形成した。
【０１５０】
以上のようにして、ピッチ変換用基板２３を作製した。このピッチ変換用基板２３は、縦横の寸法が１２０ｍｍ×１６０ｍｍ、厚みが０．５ｍｍ、接続電極２５の絶縁層表面から露出した部分の寸法が、横方向約６０μｍで、縦方向約１５０μｍ、接続電極２５の絶縁層表面からの突出高さが約６０μｍ、対をなす接続電極間２５の離間距離が１００μｍ、端子電極２４の直径が０．４ｍｍ、端子電極２４の配置ピッチが０．７５ｍｍであり、接続電極２４が形成された面側の絶縁層の表面粗さが０．０２μｍであった。
【０１５１】
また、上記と同様にして、表面に５０００個の接続電極２５を有すると共に裏面に５０００個の端子電極２４を有する、第２の検査治具１１ｂ用のピッチ変換用基板２３ｂを作製した。
【０１５２】
このピッチ変換用基板２３ｂは、縦横の寸法が１２０ｍｍ×１６０ｍｍ、厚みが０．５ｍｍ、接続電極２５における絶縁層の表面に露出した部分の横方向約６０μｍで、縦方向約１５０μｍ、接続電極２５における絶縁層の表面からの突出高さが約６０μｍ、対をなす接続電極間の離間距離が１００μｍ、端子電極２４の直径が０．４ｍｍ、端子電極２４の配置ピッチが０．７５ｍｍであり、表面（接続電極が形成された面）側の絶縁層の表面粗さが０．０２μｍのものである。
【０１５３】
（４）回路基板側コネクタ２１
このピッチ変換用基板２３の表面側に、上記の第１の異方導電性シート２２を配置し、裏面側に、厚み方向に延びる多数の導電路形成部と、これらを互いに絶縁する絶縁部とからなり、片面に導電路形成部が突出した偏在型異方導電性シートからなる第２の異方導電性シート２６を配置することにより、回路基板側コネクタ２１とした。
【０１５４】
（５）中継ピンユニット３１
絶縁板３４の材料として、固有抵抗が１×１０10Ω・ｃｍ以上の絶縁性材料、ガラス繊維補強型エポキシ樹脂よりなり、その厚みが６ｍｍのものを用いた。
【０１５５】
そして、絶縁板３４との間の距離が５２ｍｍとなるように、下記の構成からなる導電ピン３２を移動自在となるように貫通孔８３に配置して作製した。
〔導電ピン〕
材質：金メッキ処理を施した真鍮
先端部の寸法：外径０．３５ｍｍ、全長６．７ｍｍ
中央部の寸法外径０．４５ｍｍ、全長５１ｍｍ
基端部の寸法：外径０．３５ｍｍ、全長６．７ｍｍ
隣接検査ピン間離間距離：０．７５ｍｍ
（６）テスター側コネクタ４１
テスター側コネクタ４１として、図１に示したように、第３の異方導電性シート４２とコネクタ基板４３と、ベース板４６とから構成した。なお、第３の異方導電性シート４２は、前述した第２の異方導電性シート２６と同様のものを用いた。
【０１５６】
〔性能試験〕
（１）最低プレス圧力の測定
作成した検査装置１０をレール搬送型回路基板自動検査機「ＳＴＡＲＲＥＣ  Ｖ５」の検査部にセットし、検査装置１０に対して用意した評価用回路基板１をセットして、レール搬送型回路基板自動検査機「ＳＴＡＲＲＥＣ  Ｖ５」のプレス圧力を１００〜２５０ｋｇｆの範囲内において段階的に変化させ、各プレス圧力条件毎に各１０回づつ、評価用回
路基板１の被検査電極について、電流供給用電極より検査用電極に１ミリアンペアの電流を供給したときの導通抵抗値を電圧測定電極にて測定した。
【０１５７】
測定された導通抵抗値が１００Ω以上となった検査点（以下、「ＮＧ検査点」という。）を導通不良と判定し、総検査点におけるＮＧ検査点の割合（以下、「ＮＧ検査点割合」という。）を算出し、ＮＧ検査点割合が０．０１％以下となった最も低いプレス圧力を最低プレス圧力とした。
【０１５８】
この導通抵抗値の測定においては、一の導通抵抗値の測定が終了した後に、当該測定に係るプレス圧力を開放して検査装置を無加圧状態に戻し、次の導通抵抗値の測定は、再度、所定の大きさのプレス圧力を作用させることによって行った。
【０１５９】
また、具体的に、ＮＧ検査点割合は、評価用回路基板１の上面被検査電極数は３４００点、下面被検査電極数は２５００点であり、各プレス圧力条件において１０回の測定を行ったことから、式（３４００＋２５００）×１０＝５９０００によって算出される５９０００点の検査点に占める、ＮＧ検査点の割合を示す。
【０１６０】
この場合、「最低プレス圧が小さい」とは、低いプレス圧力で被検査回路基板の電気的検査が行えることを意味している。検査装置においては、検査時の加圧圧力を低く設定できれば、検査時の加圧圧力による被検査回路基板および異方導電性シート並びに検査用回路基板の劣化が抑制できるばかりでなく、検査装置の構成部材として、耐久性強度の低い部品を使用することが可能となることから、検査装置の構造を小さくコンパクトにすることができ、その結果、検査装置の耐久性の向上、検査装置の製造のコスト削減が達成されるので好ましい。
【０１６１】
（２）異方導電性シートの耐久性の測定
作成した検査装置１０をレール搬送型回路基板自動検査機「ＳＴＡＲＲＥＣ  Ｖ５」の検査部にセットし、当該検査装置１０に対して用意した評価用回路基板１をセットして、レール搬送型回路基板自動検査機「ＳＴＡＲＲＥＣ  Ｖ５」のプレス圧力条件を１５０ｋｇｆとし、所定回数の加圧を行った後、評価用回路基板１の被検査電極について、プレス圧力１５０ｋｇｆの条件下にて、電流供給用電極より検査用電極に１ミリアンペアの電流を供給したときの導通抵抗値を電圧測定電極にて１０回測定した。
【０１６２】
測定された導通抵抗値が１００Ω以上となった検査点（ＮＧ検査点）を導通不良と判定し、総検査点におけるＮＧ検査点の割合（ＮＧ検査点割合）を算出した。
次いで、検査装置１０における異方導電性シートを新しいものに交換し、プレス圧力条件を１８０ｋｇｆに変更したこと以外は上記と同様の条件によって所定回数の加圧を行い、その後、プレス圧力条件を１８０ｋｇｆとしたこと以外は上記と同様の手法によってＮＧ検査点割合を算出した。
【０１６３】
この異方導電性シートの耐久性に係る導通抵抗値を測定においては、一の導通抵抗値の測定が終了した後に、当該測定に係るプレス圧力を開放して検査装置を無加圧状態に戻し、次の導通抵抗値の測定は、再度、所定の大きさのプレス圧力を作用させることによって行った。
【０１６４】
また、具体的に、ＮＧ検査点割合は、評価用回路基板１の上面被検査電極数は３４００点、下面被検査電極数は２５００点であり、各プレス回数条件において１０回の測定を行ったことから、式（３４００＋２５００）×１０＝５９０００によって算出される５９０００点の検査点に占める、ＮＧ検査点の割合を示す。
【０１６５】
この場合、検査装置においては、実用上、ＮＧ検査点割合が０．０１％以下であることが必要とされており、ＮＧ検査点割合が０．０１％を超える場合には、良品である被検査回路基板に対して不良品であるとの誤った検査結果が得られる場合があることから、信頼性の高い回路基板の電気的検査を行うことができなくなるおそれがある。
【０１６６】
（３）被検査回路基板の導通不良の評価
作成した検査装置１０をレール搬送型回路基板自動検査機「ＳＴＡＲＲＥＣ  Ｖ５」の検査部にセットし、当該検査装置１０に対して用意した評価用回路基板１をセットして、レール搬送型回路基板自動検査機「ＳＴＡＲＲＥＣ  Ｖ５」のプレス圧力条件を１５０ｋｇｆとし、評価用回路基板１の被検査電極について、プレス圧力１５０ｋｇｆの条件下にて、電流供給用電極より検査用電極に１ミリアンペアの電流を供給したときの導通抵抗値を電圧測定電極にて１０回測定し、設定した導通抵抗値（１００Ω）以上の導通抵抗値が検出された検査点（ＮＧ検査点割合）をＮＧ検査点と判断し、総検査点におけるＮＧ検査点の割合（ＮＧ検査点割合）を算出した。
【０１６７】
そして、同一の評価用回路基板１に対してＮＧ検査点と判断する導通抵抗値の設定を１００Ωより低い抵抗値に変化させて、評価用回路基板１の評価を行った。
結果を表３に示す。
（比較例１）
上記の実施例の検査装置において、ピッチ変換基板を下記のものに変更した。（図１２に示す検査装置の構成とした。本発明の実施例１＝図１との相違はピッチ変換基板の相違であり、中継ピンユニットは同一である）
＜比較用のピッチ変換基板＞
実施例１にガラス繊維補強型エポキシ樹脂からなる厚さ０．５ｍｍの絶縁基板の両面全面に、厚みが１８μｍの銅からなる金属薄層を形成した積層材料（松下電工社製，品名：Ｒ−１７６６）に、数値制御型ドリリング装置によって、それぞれ積層材料の厚み方向に貫通する直径０．２ｍｍの円形の貫通孔を合計で３４００個形成した。
【０１６８】
以下実施例１のピッチ変換基板の製造方法において、接続電極用のレジストの開口パターンを直径２００μｍの円形に変更した以外は同様にして、比較用の上側用のピッチ変換基板を製造した。
【０１６９】
得られた上側用のピッチ変換基板は、縦横の寸法が１２０ｍｍ×１６０ｍｍ、厚みが０．５ｍｍ、接続電極２５の絶縁層表面から露出した部分の寸法が直径約２５０μｍ、接続電極２５の絶縁層表面からの突出高さが約６０μｍ、接続電極の１個が被検査回路基板の被検査電極の１個に接続するように接続電極２５が配置されていて、端子電極２４の直径が０．４ｍｍ、端子電極２４の配置ピッチが０．７５ｍｍであり、接続電極２４が形成された面側の絶縁層の表面粗さが０．０２μｍであった。
【０１７０】
また、上記と同様にして、表面に２５００個の接続電極２５を有すると共に裏面に２５００個の端子電極２４を有する比較用の下側用のピッチ変換基板を作成した。
この下側用のピッチ変換基板は、縦横の寸法が１２０ｍｍ×１６０ｍｍ、厚みが０．５ｍｍ、接続電極２５における絶縁層の表面に露出した部分の直径が約２５０μｍ、接続電極２５における絶縁層の表面からの突出高さが約６０μｍ、接続電極の１個が被検査回路基板の被検査電極の１個に接続するように接続電極２５が配置されていて、端子電極２４の直径が０．４ｍｍ、端子電極２４の配置ピッチが０．７５ｍｍであり、表面（接続電極が形成された面）側の絶縁層の表面粗さが０．０２μｍのものである。
【０１７１】
作製した比較用検査装置について、実施例１と同様な方法により、最低プレス圧および異方導電性シートの耐久性を測定した。最低プレスの測定結果を表１に、異方導電性シー
トの耐久性の測定結果を表２に示す。
【０１７２】
【表１】
2005321280.tif 000003
【０１７３】
【表２】
2005321280.tif 000004
【０１７４】
【表３】
2005321280.tif 000005
【０１７５】
これらの表１および表２から明らかなように、従来の検査装置に比較して、本発明の検査装置によれば、最低プレス圧も、異方導電性シートの耐久性も同等であった。
また、表３の結果から明らかなように、従来の検査装置に比較して、本発明の検査装置によれば、被検査回路基板の回路に対して、専用の電流用端子を介して電流を供給しながら電圧を測定できるため、低い設定電圧における導通抵抗の良否判断が安定的に行えるの
で、被検査回路基板の電気的特性試験を正確に行うことが可能である。
【０１７６】
すなわち、４端子検査の場合、良否判断の設定電圧を下げていけば、潜在的な欠陥を有する回路基板を検出することができることになる。一方、設定電圧を下げれば、電流を供給して検査するので、それだけ不良の大きい基板を検出することができることになる。
【０１７７】
一方、２端子検査の場合、例えば、設定電圧が１００Ω程度であれば、良否判断は４端子検査と同程度に行うことができるが、設定電圧を下げていくと、測定結果が安定せず、バラバラで再現性が無くなることになる。すなわち、微小な電気的欠陥を有する回路基板を検出するのが困難となる。
【０１７８】
高精度に微小な潜在的欠陥を有する回路基板（製品として使用して短期間で不良品となるような基板）を検出する方法として、従来より、バーンイン試験（促進試験）があるが、それとは別に高い検出精度で不良を見出す方法として本発明の４端子検査を有効に用いることができる。
【０１７９】
これにより、被検査回路基板の回路の潜在的な欠陥の検出割合が大きく向上するので、欠陥の発生しやすい、あるいは早期に欠陥が生じる被検査回路基板を高い精度で不良品として除去することが可能となり、被検査回路基板に対して高い精度の良品、不良品の判断が可能となる。
【図面の簡単な説明】
【０１８０】
【図１】図１は、本発明の検査装置の実施例を説明する断面図である。
【図２】図２は、図１の検査装置の検査使用時における積層状態を示した断面図である。
【図３】図３は、ピッチ変換用基板の回路基板側の表面を示した図である。
【図４】図４は、ピッチ変換用基板のピン側表面を示した図である。
【図５】図５は、第１の異方導電性シートの部分断面図である。
【図６】図６は、第２の異方導電性シートの部分断面図である。
【図７】図７は、第１の異方導電性シートをピッチ変換用基板に積層した状態を示した断面図である。
【図８】図８は、本発明の検査装置の実施例の使用状態を説明する部分拡大断面図である。である。
【図９】図９は、中継ピンユニットの導電ピン、中間保持板および絶縁板の一部を示した断面図である。
【図１０】図１０は、従来における回路基板の検査装置の断面図である。
【図１１】図１１は、従来における回路基板の検査装置の断面図である。
【図１２】図１２は、本発明の検査装置の実施例の使用状態を説明する部分拡大断面図である。である。
【符号の説明】
【０１８１】
１０   検査装置
１１ａ 第１の検査治具
１１ｂ 第2の検査治具
２１ａ、２１ｂ       回路基板側コネクタ
２２ａ，２２ｂ       第１の異方導電性シート
２３ａ，２３ｂ       ピッチ変換用基板
２４   端子電極
２５   接続電極
２６ａ，２６ｂ       第２の異方導電性シート
２７ａ、２７ｂ       電流用端子電極
２８ａ、２８ｂ       電圧用端子電極
３１ａ、３１ｂ       中継ピンユニット
３２ａ，３２ｂ       導電ピン
３４ａ，３４ｂ       絶縁板
４１ａ，４１ｂ       テスター側コネクタ
４２ａ，４２ｂ       第３の異方導電性シート
４３ａ，４３ｂ       コネクタ基板
４４ａ，４４ｂ       テスター側電極
４５ａ，４５ｂ       ピン側電極
４６ａ，４６ｂ       ベース板
４７ａ、４７ｂ       電流用ピン側電極
４８ａ、４８ｂ       電圧用ピン側電極
５１   絶縁基板
５２   配線
５３   内部配線
５４   絶縁層
５５   絶縁層
６１   シート基材
６２   導電性粒子
７１   絶縁部
７２   導電路形成部
７３   突出部
８１ａ，８１ｂ       端部
８２   中央部
８３   貫通孔
１０１ 被検査回路基板
１０２ 被検査電極
１１１ａ      上側検査治具
１１１ｂ      下側検査治具
１２１ａ      回路基板側コネクタ
１２２ａ      異方導電性シート
１２３ａ      ピッチ変換用基板
１３１ａ      中継ピンユニット
１３２ａ      導電ピン
１３４ａ      絶縁板
１４１ａ      テスター側コネクタ
１４２ａ      異方導電性シート
１４３ａ      コネクタ基板
１４６ａ      ベース板
Ａ     中間保持板投影面
Ｌ１   距離
Ｌ２   距離
Ｑ１   対角線
Ｑ２   対角線
Ｒ１   単位格子領域
Ｒ２   単位格子領域
【図１】
2005321280.tif 000006
【図２】
2005321280.tif 000007
【図３】
2005321280.tif 000008
【図４】
2005321280.tif 000009
【図５】
2005321280.tif 000010
【図６】
2005321280.tif 000011
【図７】
2005321280.tif 000012
【図８】
2005321280.tif 000013
【図９】
2005321280.tif 000014
【図１０】
2005321280.tif 000015
【図１１】
2005321280.tif 000016
【図１２】
2005321280.tif 000017